(57)【要約】【解決手段】後から倒される側壁２の張出部２ｃに形成された弾性部材５ｃを押して、先に倒される側壁３の張出部３ｃに突設されている係止部材４を、後から倒される側壁の張出部に形成されたガイドブロック５ｂ方向に湾曲させて、係止部材の係止突起４ａを、後から倒される側壁の張出部から離反させるとともに、係止部材の係止突起の背面側に形成されている傾斜面４ｂを、ガイドブロックの傾斜面５ｂ１に接触させ、その後更に、弾性部材を押すことにより、係止突起の背面側の傾斜面が、ガイドブロックの傾斜面と接触している係止部材を、ガイドブロックの傾斜面に沿って、係止突起が、後から倒される側壁の張出部に穿設された透孔５ａから抜け出る方向に移動させるように構成した折り畳みコンテナーに関するものである。【効果】折り畳み作業の際に、先に倒される側壁の底部方向への回動作業の作業性が向上する。【選択図】図７
2004090954.tif 000002
【特許請求の範囲】
【請求項１】
底部と底部にヒンジ部材を介して連結された４つの側壁を有するとともに、底部に側壁を重ねるようにして折り畳むことが可能な折り畳みコンテナーにおいて、折り畳み作業の際に、後から倒される側壁の張出部に形成された弾性部材を押して、折り畳み作業の際に、先に倒される側壁の張出部に突設されている係止部材を、前記後から倒される側壁の張出部に形成されたガイドブロック方向に湾曲させて、前記係止部材の係止突起を、前記後から倒される側壁の張出部から離反させるとともに、前記係止部材の係止突起の背面側に形成されている傾斜面を、前記ガイドブロックの傾斜面に接触させ、その後更に、前記弾性部材を押すことにより、前記係止突起の背面側の傾斜面が、前記ガイドブロックの傾斜面と接触している係止部材を、前記ガイドブロックの傾斜面に沿って、前記係止突起が、前記後から倒される側壁の張出部に穿設された透孔から抜け出る方向に移動させて、前記先に倒される側壁と前記後から倒される側壁とのロック状態を解除するとともに、前記先に倒される側壁を、底部方向に倒すように構成したことを特徴とする折り畳みコンテナー。
【発明の詳細な説明】
【０００１】
【発明の属する技術分野】
本発明は、底部を囲むように配設された側壁が、底部に重なるように折り畳むことが可能な折り畳みコンテナーに関するものである。
【０００２】
【従来の技術】
従来、平面形状が略長方形に形成された底部の相対する長辺部に、ヒンジ部材を介して連結された長側壁と、同じく上記底部の相対する短辺部に、ヒンジ部材を介して連結された短側壁とからなり、底部に対して略垂直に長側壁と短辺部を立てることにより、箱型に組み立てられ、また、折り畳む際には、底部の上に重なるように、長側壁及び短側壁を折り畳むようにした折り畳みコンテナーが知られており、箱型に組み立てられ状態においては、長側壁或いは短側壁が、底部方向に倒れないように、互いに、ロック機構により、ロックされるように構成されている。そして、ロック機構としては、一例として、折り畳み作業の際に、先に倒される長側壁或いは短側壁に形成された係止突起を有する係止部材と、後から倒される長側壁或いは短側壁に形成された、上記の係止部材が挿入され係止される透孔とからなるロック機構が知られている（例えば、特開２００２−６８１８１号公報等）。
【０００３】
【発明が解決しようとする課題】
従来の折り畳みコンテナーにおいては、長側壁及び短側壁が、底部方向に倒れないように配設されたロック機構のロック状態を解除するためには、先に倒される長側壁或いは短側壁に形成された係止突起を有する係止部材を湾曲変形させて、係止部材の係止突起を、係止突起が係止されている、後から倒される長側壁或いは短側壁に形成された透孔の周囲の壁部から離反させて、係止部材の係止突起と透孔の周囲の壁部との係止状態を解除し、その後、先に倒される長側壁或いは短側壁を底部方向に倒して、係止部材の係止突起を透孔から排出することになる。このように、従来の折り畳みコンテナーにおいては、係止部材の湾曲変形による、係止部材の係止突起と透孔の周囲の壁部との係止状態の解除作業及び先に倒される長側壁或いは短側壁の底部方向への回動による、係止部材の係止突起の透孔からの排出作業の２つの作業を行わなければならず、従って、ロック機構のロック解除作業の作業性が悪いという問題があった。
【０００４】
本発明の目的は、上述した従来の折り畳みコンテナーが有する課題を解決することにある。
【０００５】
【課題を解決するための手段】
本発明は、上述した目的を達成するために、底部と底部にヒンジ部材を介して連結された４つの側壁を有するとともに、底部に側壁を重ねるようにして折り畳むことが可能な折り畳みコンテナーにおいて、折り畳み作業の際に、後から倒される側壁の張出部に形成された弾性部材を押して、折り畳み作業の際に、先に倒される側壁の張出部に突設されている係止部材を、前記後から倒される側壁の張出部に形成されたガイドブロック方向に湾曲させて、前記係止部材の係止突起を、前記後から倒される側壁の張出部から離反させるとともに、前記係止部材の係止突起の背面側に形成されている傾斜面を、前記ガイドブロックの傾斜面に接触させ、その後更に、前記弾性部材を押すことにより、前記係止突起の背面側の傾斜面が、前記ガイドブロックの傾斜面と接触している係止部材を、前記ガイドブロックの傾斜面に沿って、前記係止突起が、前記後から倒される側壁の張出部に穿設された透孔から抜け出る方向に移動させて、前記先に倒される側壁と前記後から倒される側壁とのロック状態を解除するとともに、前記先に倒される側壁を、底部方向に倒すように構成したものである。
【０００６】
【実施例】
以下に、本発明の実施例について説明するが、本発明の趣旨を越えない限り何ら、本実施例に限定されるものでない。
【０００７】
本発明の全体構成は、底部１と、底部１にヒンジ連結された相対する長側壁２と、同じく、底部１にヒンジ連結された相対する短側壁３とから構成されており、図１に示されている箱型に組み立てられた状態から、先ず最初に、短側壁３を、図２に示されているように、底部１に重なるように倒し、次いで、長側壁２を、底部１に重ねられた短側壁３に重なるように倒すことにより、図３に示されているように、折り畳みコンテナーを、高さの低いコンパクトに折り畳むことができるように構成されている。また、図３に示されている状態から、長側壁２を、略垂直に立て、次いで、短側壁３を略垂直に立てることにより、図１に示されているように、折り畳まれていた折り畳みコンテナーを、箱型に組み立てることができるように構成されている。
【０００８】
次に、主として、図４〜図８を用いて、長側壁２及び短側壁３に配設されたロック機構及びそのロック作業とロック解除作業について説明する。
【０００９】
折り畳み作業の際に、先に、底部１方向に倒される短側壁３は、横長の略長方形状の板状部３ａを有しており、板状部３ａには、板状部３ａの上下端辺及び左右端辺に沿って、板状部３ａの面に対して垂直に延在する周辺リブ３ｂが延設されている。周辺リブ３ｂを構成する略垂直な側部３ｂ１の外側には、周辺リブ３ｂの側部３ｂ１に対して略垂直に、換言すれば、板状部３ａに略平行に、縦長の板状の張出部３ｃが形成されており、張出部３ｃの外壁面（折り畳みコンテナーを箱型に組みたてた際に、外側に位置する壁面）３ｃ１の上部には、張出部３ｃに対して略垂直に、換言すれば、周辺リブ３ｂの側部３ｂ１に略平行に延在する略角柱状の弾性変形可能な係止部材４が突設されている。この係止部材４が、長側壁２及び短側壁３に配設されたロック機構の短側壁３側のロック部材を構成する。
【００１０】
係止部材４の先端部には、折り畳みコンテナーを箱型に組みたてた際に、長側壁２方向に延在する、換言すれば、張出部３ｃの垂直端３ｃ２方向に延在するような係止突起４ａが形成されており、また、係止突起４ａの背面側には、係止部材４の先端部に行くほど、先端部が薄肉状となるような、換言すれば、係止部材４の先端部に行くほど、張出部３ｃの垂直端３ｃ２に接近するような傾斜面４ｂが形成されている。
【００１１】
また、折り畳み作業の際に、後から、底部１方向に倒される長側壁２は、横長の略長方形状の板状部２ａを有しており、板状部２ａには、板状部２ａの上下端辺及び左右端辺に沿って、板状部２ａの面に対して垂直に延在する周辺リブ２ｂが延設されている。周辺リブ２ｂを構成する略垂直な側部２ｂ１の外側には、板状部２ａに対して略垂直で、且つ、短側壁３方向に延在する縦長の張出部２ｃが形成されている。張出部２ｃの上部には、上述した短側壁３の張出部３ｃに突設された係止部材４が挿入可能な透孔５ａが穿設されている。また、張出部２ｃの外壁面（折り畳みコンテナーを箱型に組みたてた際に、外側に位置する壁面）２ｃ１の透孔５ａより、垂直端（透孔５ａに対して、板状部２ａから遠い部分）２ｃ２側に位置する部分には、透孔５ａに隣接して、略角柱状のガイドブロック５ｂが突設されている。ガイドブロック５ｂの透孔５ａ側の側面は、折り畳みコンテナーが箱型に組み立てられた際に、透孔５ａに挿入された係止部材４の傾斜面４ｂに対して略平行な傾斜面５ｂ１として形成されている。即ち、ガイドブロック５ｂの透孔５ａ側の側面は、ガイドブロック５ｂの先端に行くほど、透孔５ａ方向に接近するような傾斜面５ｂ１として形成されている。
【００１２】
また、透孔５ａを挟んで、ガイドブロック５ｂと対向する張出部２ｃの外壁面２ｃ１には、弾性変形可能な板状の弾性部材５ｃが、張出部２ｃに対して略垂直に突設されている。また、弾性部材５ｃのガイドブロック５ｂ側の壁面には、弾性部材５ｃに対して略垂直な突片５ｃ１が突設されている。
【００１３】
上述した長側壁２の張出部２ｃに穿設された透孔５ａ、ガイドブロック５ｂ及び突片５ｃ１が突設された弾性部材５ｃとにより、長側壁２及び短側壁３に配設されたロック機構の長側壁２側のロック部材が構成されている。
【００１４】
次に、上述したロック機構の長側壁２側のロック部材を構成する透孔５ａ、ガイドブロック５ｂ及び弾性部材５ｃ及び上述したロック機構の短側壁３側のロック部材を構成する係止部材４の共働によるロック作業とロック解除作業について説明する。
【００１５】
図３に示されている折り畳まれた状態の折り畳みコンテナーを、図１に示されている箱型に組み立てるには、上述したように、先ず最初に、図２に示されているように、略水平状態の長側壁２を略垂直に立てる。次いで、底部１に重ねられている短側壁３を、垂直方向に回動させて、略垂直に立てられている長側壁２に接近させると、長側壁２の張出部２ｃに穿設された透孔５ａに、短側壁３の張出部３ｃに突設された係止部材４の係止突起４ａが挿入されることになるが、この際に、透孔５ａを形成する、弾性部材５ｃ側の垂直辺５ａ１に、係止部材４の先端部が当接し、弾性変形可能な係止部材４が、ガイドブロック５ｂ側に湾曲しながら、係止部材４の係止突起４ａが透孔５ａに挿入され、係止突起４ａが、完全に、透孔５ａに挿入された時点で、ガイドブロック５ｂ側に湾曲していた係止部材４は、その弾性力により、略真っ直ぐな元の状態に戻り、図６に示されているように、係止部材４の係止突起４ａの先端部が、長側壁２の張出部２ｃの外壁面２ｃ１の上方に位置するように構成されている。
【００１６】
上述したように、短側壁３の張出部３ｃに突設された係止部材４の係止突起４ａが、長側壁２の張出部２ｃに穿設された透孔４ａに挿入され、係止部材４の係止突起４ａの先端部が、長側壁２の張出部２ｃの外壁面２ｃ１の上方に位置する状態が、ロック機構のロック位置であり、この状態から、短側壁３が、底部１方向に倒れようとしても、係止部材４の係止突起４ａの先端部が、透孔４ａの周囲の張出部２ｃに引っ掛かり、短側壁３の底部１方向の回動が阻止されることになる。
【００１７】
上述したロック状態を解除するには、長側壁２の張出部２ｃに形成されている弾性部材５ｃを、指で、係止部材４方向に押すことにより、短側壁３の張出部３ｃに突設された係止部材４方向に湾曲変形させて、弾性部材５ｃの突片５ｃ１を、係止部材４の係止突起４ａに押し付け、更に、弾性部材５ｃを押して、係止部材４を、長側壁２の張出部２ｃに形成されているガイドブロック５ｂ方向に湾曲させて、係止部材４の係止突起４ａの背面側に形成されている傾斜面４ｂを、ガイドブロック５ｂの傾斜面５ｂ１に接触させる。この時点で、図７に示されているように、係止部材４の係止突起４ａの先端部は、長側壁２の張出部２ｃの外壁面２ｃ１から離れて、透孔４ａの上方に位置することになる。その後、更に、弾性部材５ｃを押すと、係止突起４ａの背面側の傾斜面４ｂが、ガイドブロック５ｂの傾斜面５ｂ１と接触している係止部材４は、ガイドブロック５ｂの傾斜面５ｂ１に沿って、係止突起４ａが、長側壁２の張出部２ｃに穿設されている透孔４ａから抜け出る方向に移動し、従って、短側壁３が、底部１方向に傾倒し、自然に、或いは、少し短側壁３を、底部１方向に押すだけの作業により、短側壁３を、底部１に重なるように倒すことができる。このようにして、短側壁３を、底部１に重なるように倒した後、長側壁２を、底部１方向に対して、底部１に重ねられている短側壁３に重ねることにより、図３に示されているように、折り畳むことができる。
【００１８】
上述したように、長側壁２の張出部２ｃに形成されている弾性部材５ｃを押して、短側壁３の張出部３ｃに突設されている係止部材４を、長側壁２の張出部２ｃに形成されているガイドブロック５ｂ方向に湾曲させて、係止部材４の係止突起４ａを、長側壁２の張出部２ｃから離反させるとともに、係止部材４の係止突起４ａの背面側に形成されている傾斜面４ｂを、ガイドブロック５ｂの傾斜面５ｂ１に接触させ、その後更に、弾性部材５ｃを押すことにより、係止突起４ａの背面側の傾斜面４ｂが、ガイドブロック５ｂの傾斜面５ｂ１と接触している係止部材４を、ガイドブロック５ｂの傾斜面５ｂ１に沿って、係止突起４ａが、長側壁２の張出部２ｃに穿設されている透孔４ａから抜け出る方向に移動させて、短側壁３と長側壁２とのロック状態を解除するとともに、短側壁３を、底部１方向に倒すように構成したので、短側壁３の折り畳み作業の作業性が向上し、ひいては、箱型に組み立てられた折り畳みコンテナーの折り畳み作業の作業性が向上することになる。
【００１９】
なお、上述した実施例には、箱型に組み立てられた折り畳みコンテナーを折り畳む際に、短側壁３を、先ず最初に倒し、次いで、長側壁２を倒すように構成されているが、当然のことながら、長側壁２を、先に倒し、後から、短側壁３を倒すように構成することもできる。
【００２０】
【発明の効果】
本発明は、以上説明した構成を有しているので、以下に記載する効果を奏するものである。
【００２１】
折り畳み作業の際に、先に倒される側壁の底部方向への回動作業の作業性が向上し、従って、箱型に組み立てられた折り畳みコンテナーの折り畳み作業の作業性が向上する。
【図面の簡単な説明】
【図１】図１は本発明の折り畳みコンテナーが箱型に組み立てられた状態の斜視図である。
【図２】図２は本発明の折り畳みコンテナーの組み立て途中の斜視図である。
【図３】図３は本発明の折り畳みコンテナーの折り畳まれた状態の斜視図である。
【図４】図４は本発明の折り畳みコンテナーの長側壁と短側壁の部分斜視図である。
【図５】図５は同じく本発明の折り畳みコンテナーの長側壁と短側壁の部分斜視図である。
【図６】図６は本発明の折り畳みコンテナーのロック機構付近の部分水平断面図である。
【図７】図７は図６と同様の本発明の折り畳みコンテナーのロック機構付近の部分水平断面図である。
【図８】図８は図６と同様の本発明の折り畳みコンテナーのロック機構付近の部分水平断面図である。
【符号の説明】
１・・・・・・・・・・・・・・・・・・・・底部
２・・・・・・・・・・・・・・・・・・・・長側壁
２ｃ・・・・・・・・・・・・・・・・・・・張出部
３・・・・・・・・・・・・・・・・・・・・短側壁
３ｃ・・・・・・・・・・・・・・・・・・・張出部
４・・・・・・・・・・・・・・・・・・・・係止部材
５ａ・・・・・・・・・・・・・・・・・・・透孔
５ｂ・・・・・・・・・・・・・・・・・・・ガイドブロック
５ｃ・・・・・・・・・・・・・・・・・・・弾性部材
【図１】
2004090954.tif 000003
【図２】
2004090954.tif 000004
【図３】
2004090954.tif 000005
【図４】
2004090954.tif 000006
【図５】
2004090954.tif 000007
【図６】
2004090954.tif 000008
【図７】
2004090954.tif 000009
【図８】
2004090954.tif 000010